(57)【要約】【課題】　従来の電気温水器によれば、給湯湯温決定の優先権を移動したときに給湯湯温が変化して湯温変動が突然に起きるため、使い勝手に問題があった。【解決手段】　本発明に係る電気温水器は、電動湯水混合弁の湯水温度を制御する制御部により、浴室リモコン及び台所リモコンのうち、浴室リモコンが電源投入時の湯水温度を設定する優先権を持ち、電源投入時に浴室リモコンの設定温度に給湯湯温が設定されるので、給湯湯温の変動が少なく使い勝手がよい電気温水器となる。【選択図】　　　　図２
2004085197.tif 000002
【特許請求の範囲】
【請求項１】
　水を加熱して貯留しておく貯湯槽と、該貯湯槽内で加熱された湯と水とを混合する電動湯水混合弁と、前記電動湯水混合弁から送出された混合湯水の温度を検出する温度センサと、温度設定の優先スイッチを備え、該優先スイッチを操作することにより前記電動湯水混合弁の湯水温度を設定する優先権を切替える浴室リモコン及び台所リモコンと、前記温度センサ及び前記浴室リモコン及び台所リモコンからの信号受け、前記電動湯水混合弁の湯水温度を制御する制御部とを有する電気温水器において、
　前記浴室リモコン及び台所リモコンのうち、前記浴室リモコンが電源投入時の前記湯水温度を設定する優先権を持ち、電源投入時に浴室リモコンの設定温度に給湯湯温が設定されることを特徴とする電気温水器。
【発明の詳細な説明】
【技術分野】
【０００１】
　本発明は、沸き上げた湯の湯温を制御して給湯する電気温水器に関するものである。
【背景技術】
【０００２】
　図１は本発明に係る電気温水器の構成図であるが、従来技術の構成もほぼ同様なので、以下、本発明にかかる構成図を用いて従来の電気温水器の構成について説明する。まず、電気湯水混合弁４を制御して貯湯槽１内の湯と水源からの水の混合量を調整し、第２の温度センサ２１の検出温度が台所リモコン２２又は浴室リモコン２３であらかじめ設定した給湯湯温になるようにする。こうして、設定温度になった湯は、混合給湯管１２を通り、台所と浴室に設けた湯水混合栓５、６から給湯される。
　なお、関連従来技術には、次のものがある（例えば、特許文献１参照。）。
【特許文献１】特開平２−１９５１５０号公報（第２頁、第３頁、第１図〜第４図）
【発明の開示】
【発明が解決しようとする課題】
【０００３】
　　上記のように構成した電気温水器によれば、給湯湯温決定の優先権を移動したときに給湯湯温が変化して湯温変動が突然に起きるため、使い勝手に問題があった。
　また、浴室側の湯水混合栓６はサーモスタット式混合栓を使用することが多く、混合栓側の特徴として、混合栓に供給する湯の温度を実際に使用する湯温よりも５℃〜１０℃程度高くすることによって湯温の安定を図っているので、シャワー等で使用するときの給湯湯温はあまり変更したくない。しかしながら、台所などで簡単に給湯湯温が変更されてしまい、浴室の設定温度に戻すには浴室側に優先権を移す必要があるなど、使い勝手に問題があった。
【０００４】
　本発明は上記のような課題を解決するためになされたもので、給湯湯温の変動が少なく使い勝手のよい給湯湯温の制御機能を備えた電気温水器を得ることを目的とする。
【課題を解決するための手段】
【０００５】
　本発明に係る電気温水器は、電動湯水混合弁の湯水温度を制御する制御部により、浴室リモコン及び台所リモコンのうち、浴室リモコンが電源投入時の湯水温度を設定する優先権を持ち、電源投入時に浴室リモコンの設定温度に給湯湯温が設定されるものである。
【発明の効果】
【０００６】
　本発明に係る電気温水器においては、制御部により、浴室リモコン及び台所リモコンのうち、浴室リモコンが電源投入時の湯水温度を設定する優先権を持ち、電源投入時に浴室リモコンの設定温度に給湯湯温が設定されるので、給湯湯温の変動が少なく使い勝手がよい給湯湯温の制御機構を備えた電気温水器を得ることができる。
【発明を実施するための最良の形態】
【０００７】
実施の形態１．
　図１は本発明の実施の形態１の電気温水器に係る構成図である。１は水や湯を貯留する貯湯槽であり、２は貯湯槽１内の下部に設けられ貯湯槽１内の水を加熱して沸き上げる発熱体である。３は貯湯槽１下部の外周に設けられ貯湯槽１内の水の沸上げ状態を検知する第１の温度センサである。
　４は電動制御によって水と湯の混合比を変化させて適温の湯水を作り出すための電動湯水混合弁である。５は台所に取り付けた台所湯水混合栓、６は浴室に取り付けた浴室湯水混合栓であり、台所湯水混合栓５は例えばワンレバータイプを使用しており、浴室給水混合栓６は例えばサーモスタット付き混合栓を使用している。
【０００８】
　７は一端を貯湯槽１の上部に取り付け他端を電動湯水混合弁４の給湯口に取り付けて貯湯槽１内で沸き上げた湯を電動湯水混合弁４に供給するための給湯管、１０は一端を水道管等の水源に接続し他端を電動湯水混合弁４の給水口に取り付けて水源の水を電動湯水混合弁４に供給するための給水管である。１１は給水管１０内の水を貯湯槽１内に給水するための貯湯槽給水管で、給水管１０から分岐して貯湯槽１の下部に取り付けてある。
【０００９】
　１２は一端を電動湯水混合弁４の混合湯出口に取り付けた混合給湯管で、１３、１４は混合給湯配管１２から分岐して端部をそれぞれ台所給湯混合栓５と浴室湯水混合栓６に取り付けた台所給湯管及び浴室給湯管である。１５は給水管１０から分岐した混合栓給水管で、１６、１７は混合栓給水管１５から分岐し端部をそれぞれ台所湯水混合栓５と浴室湯水混合栓６に取り付けた台所給水管及び浴室給水管である。
【００１０】
　１８は貯湯槽給水管１１に取り付けられた水源圧力を減少させる減圧弁、１９は貯水槽１の上部近傍の給湯管７に取り付けられ沸き上げ中に体積膨張した貯湯槽１内の湯を逃がす逃し弁である。
　２０は混合給湯管１２内を流れる混合湯水の流量を検出する水流検出手段、２１は電動湯水混合弁４による温度補正を行うために混合給湯管１２に取り付けて混合給湯管１２内を流れる湯水の温度を検知する第２の温度センサである。
【００１１】
　２２は台所湯水混合栓５の近くに取り付けた台所リモコン、２３は浴室湯水混合栓６の近くに取り付けた浴室リモコンである。２４は台所リモコン２２に優先権を持たせるときに操作する台所リモコン優先スイッチ、２５は浴室リモコン２３に優先権を持たせるときに操作する浴室リモコン優先スイッチであり、それぞれの優先スイッチを押すことにより、押された側のリモコンに優先権を持たせることができる。従って、優先権を持っているリモコンからのみ給湯湯温を変更することができ、優先権を持たないリモコンからは給湯湯温を変更することができない。
【００１２】
　２６は電気温水器全体を制御する制御装置で、第１、第２の温度センサ３、２１、水流検出手段２０、台所リモコン２２、浴室リモコン２３からの信号を受けると共に、発熱体２、電動湯水混合弁４等を制御している。そして、この制御装置２６では、浴室リモコン２３が台所リモコン２２に対して優先するようにしてあり、優先権を有する台所リモコン２２によって給湯湯温を変更したときでも、一定時間後に、浴室リモコン２３の設定温度に戻るようにしてある。
【００１３】
　すなわち、浴室リモコン２３から台所リモコン２２に優先権を切替えたときは、一定時間後に、給湯湯温を再度、浴室リモコン２３の設定温度に戻らせるが、台所リモコン２２から浴室リモコン２３に優先権を切替えたときは、給湯湯温を浴室リモコン２３に設定されている温度に切替えるようにしてある。なお、電源投入時の優先権は浴室リモコン２３側にあり、浴室リモコン２３からは給湯湯温を変更できるが、台所リモコン２２からは給湯湯温を変更することができないようになっている。
【００１４】
　上記のように構成した実施の形態１の作用を図１によって説明する。水源から貯湯槽給水管１１に送られた水は、減圧弁１８を通り減圧されて貯湯槽１内に流入し、貯湯槽１内を常に満水状態に維持する。この状態で、例えば深夜電力を利用して、発熱体２に通電すると、貯湯槽１内の水が加熱される。そして、第１の温度センサ３が、あらかじめ設定された沸き上げ温度を検出すると、発熱体２の通電が停止される。なお、加熱によって膨張した貯湯槽１内の湯は、逃し弁１９から排水される。
【００１５】
　こうして、貯湯槽１内に貯湯された湯と水源水は、それぞれ給湯管７と給水管１０を通って電動湯水混合弁４に至り、ここで、混合給湯管１２に取り付けた第２の温度センサ２１の検出温度が、台所リモコン２２（又は浴室リモコン２３）であらかじめ設定された温度になるように、湯と水の混合率が制御される。この際、水流検出手段２０が混合給湯管１２に湯水が流れているかどうかを検出して、湯水の流れを検知したときだけ、第２の温度センサ２１の検出温度によって電動湯水混合弁４にフィードバック制御を行う。
【００１６】
　第２の温度センサ２１で検知される湯水の温度決定に際しては、台所優先スイッチ２４を押した場合は、台所リモコン２２に優先権を持たせることができ、このときは台所リモコン２２からのみ給湯湯温を変更することができて、優先権を持たない浴室リモコン２３からは給湯湯温の変更をすることができない。また、浴室優先スイッチ２５を押した場合は、浴室リモコン２３に優先権を持たせることができ、浴室リモコン２３からのみ給湯湯温を変更することができて、優先権を持たない台所リモコン２２からは給湯湯温の変更をすることができない。こうして所望の温度になった混合湯は、混合給湯管１２を通り各湯水混合栓５、６を通して給湯される。
【００１７】
　図２のフローチャートによって、上記作用をより詳細に説明する。まず、初期電源を投入すると、電源投入時の優先権は浴室リモコン２３側にある。電源投入時は、例えば、給湯湯温を５０℃とする。
　こうして、浴室リモコン２３側の優先権がＯＮとなり、現在の給湯湯温が５０℃となり、給湯湯温の設定値が５０℃となる。一方、台所リモコン２２の優先権がＯＦＦとなり、現在の給湯湯温が５０℃となる（ステップＳ−１）。このように、電源投入時の優先権は浴室リモコン２３側にあるので、浴室リモコン２３側からは給湯湯温を変更できるが、台所リモコン２２側からは給湯湯温を変更することができない。こうして、台所湯水混合栓５、浴室湯水混合栓６を開くと、ここから５０℃の湯が供給される。
【００１８】
　次に、台所リモコン２２の優先スイッチ２４を押すと（ステップＳ−２）、優先権が浴室リモコン２３から台所リモコン２２に移る。こうして、浴室リモコン２３の優先権がＯＦＦとなり、現在の給湯湯温が５０℃で、給湯湯温の設定値が５０℃となる。一方、台所リモコン２２の優先権がＯＮとなり、現在の給湯湯温が５０℃となる（ステップＳ−３）。このようにして、優先権が台所リモコン２２側に移ったため、台所リモコン２２からは給湯湯温を変更することができるが、浴室リモコン２３側からは給湯油温を変更することはできない。こうして、台所湯水混合栓５、浴室湯水混合栓６を開くと、ここから５０℃の湯が供給される。
【００１９】
　次に、台所リモコン２２を操作して、給湯湯温を５０℃から例えば７０℃に変更すると（ステップＳ−４）、浴室リモコン２３の優先権がＯＦＦされて、現在の給湯湯温が７０℃となり、給湯湯温の設定値は５０℃である。一方、台所リモコン２２の優先権はＯＮであり、現在の給湯湯温が７０℃となる（ステップＳ−５）。この状態では、優先権が台所リモコン２２側にあるため、台所リモコン２２側からは給湯湯温を変更することができるが、浴室リモコン２３側からは給湯湯温を変更することができない。こうして、給湯湯温が７０℃となり、台所湯水混合栓５、浴室湯水混合栓６から供給される湯の温度は共に７０℃となる。
【００２０】
　台所リモコン２２によって給湯湯温が７０℃に変更された後、例えば、１０分経過したかどうかをチェックする（ステップＳ−６）。１０分経過したときは、自動的に給湯湯温を５０℃に戻す。このため、浴室リモコン２３の優先権はＯＦＦで、現在の給湯湯温が５０℃となり、給湯湯温の設定値は５０℃である。一方、台所リモコン２２の優先権はＯＮであり、現在の給湯湯温が５０℃となる（ステップＳ−７）こうして、給湯湯温が５０℃に戻り、台所湯水混合栓５、浴室湯水混合栓６から供給される湯の温度は５０℃となる。
【００２１】
　次に、浴室リモコン２３の優先スイッチ２５を押すと（ステップＳ−８）、優先権が台所リモコン２２から浴室リモコン２３に移る。これにより、浴室リモコン２３の優先権がＯＮとなり、現在の給湯湯温が５０℃で、給湯湯温の設定値が５０℃となる。一方、台所リモコン２２の優先権がＯＦＦとなり、現在の給湯湯温が５０℃となる。優先権が浴室リモコン２３側に移ったため、浴室リモコン２３からは給湯湯温を変更することができるが、台所リモコン２２側からは給湯湯温を変更することはできない（ステップＳ−９）。こうして、給湯湯温は５０℃のままとなり、台所湯水混合栓５、浴室湯水混合栓６から出る湯の温度は共に５０℃となる。
【００２２】
　次に、台所リモコン２２の優先スイッチ２４を押すと（ステップＳ−１０）、優先権が浴室リモコン２３から台所リモコン２２に移る。これより、浴室リモコン２３の優先権がＯＦＦとなり、現在の給湯湯温が５０℃で、給湯湯温の設定値が５０℃となる。一方、台所リモコン２２の優先権がＯＮとなり、現在の給湯湯温が５０℃となる。優先権が台所リモコン２２側に移ったため、台所リモコン２２からは給湯湯温を変更することができるが、浴室リモコン２３側からは給湯湯温を変更することはできない（ステップＳ−１１）。こうして、給湯湯温は５０℃のままで、台所湯水混合栓５、浴室湯水混合栓６から出る湯の温度は共に５０℃となる。
【００２３】
　実施の形態１では、浴室リモコン２３から台所リモコン２２に優先権を切替えて給湯湯温を変更したときは、一定時間後に、給湯湯温が浴室リモコン２３の設定温度に戻るようにし、台所リモコン２２から浴室リモコン２３に優先権を切替えて設定温度を変更したときは、給湯湯温を浴室リモコン２３に設定されている温度に切替えるようにしたので、シャワー等の湯温安定を図ることができ、使い勝手が向上する。
【００２４】
実施の形態２．
　図３は実施の形態２の作用を示すフローチャートである。実施の形態１では、浴室リモコン２３の設定温度を優先させて、台所リモコン２２において給湯湯温を変更したとき、一定時間後に、浴室リモコン２３の設定温度に戻るようにしたが、実施の形態２では、混合給湯管１２に取り付けた水流検出手段２０を用い、浴室リモコンに２3の設定温度を優先させて、台所リモコン２２において給湯湯温を変更したときは、水流検出手段２０による水流検出が終了した時点で、浴室リモコン２３の設定温度に戻るようにしたものである。すなわち、浴室リモコン２３から台所リモコン２２に優先権を切替えて給湯湯温を変更したときは、水流検出が終了した時点で、給湯湯温を再度、浴室リモコン２３の設定温度に戻らせるが、台所リモコン２２から浴室リモコン２３に優先権を切替えて給湯湯温を変更したときは、設定温度を浴室リモコン２３に設定されている温度に切替えるようにしたものである。
【００２５】
　例えば、実施の形態１では、図２に示すように、優先権を台所リモコン２２側に移し（ステップＳ−２）、給湯湯温を５０℃から７０℃に変更したときでも（ステップＳ−４）、１０分間経過すると（ステップＳ−６）、優先権は台所リモコン２２側に維持したままで、自動的に浴室リモコン２３の設定温度である５０℃に戻るようになっている（ステップＳ−７）。
【００２６】
　これに対して、実施の形態２では、図３に示すように、時間経過の代わりに、水流検出手段２０を使用して水流の有無を検知するようにしたもので、優先権を台所リモコン２２側に移し（ステップＳ−２）、給湯湯温を５０℃から７０℃に変更したときでも（ステップＳ−４）、水流検出手段２０によって混合給湯管１２を流れる水流が検出されて、その水流検出が終了したかどうかが検知され（ステップＳ−６）、水流検出後は、優先権は台所リモコン２２側に維持したままで、自動的に浴室リモコン２３の設定温度である５０℃に戻るようになっている（ステップＳ−７）。すなわち、台所で１回給湯を行い、その給湯が終了した時点で、元の給湯湯温に戻すようにしたものである。
【００２７】
　実施の形態２では、浴室リモコン２３から台所リモコン２２に優先権を切替えて設定温度を変更したときは、水流検出が終了した時点で、給湯湯温が浴室リモコン２３の設定温度に戻るようにし、台所リモコン２２から浴室リモコン２３に優先権を切替えて設定温度を変更したときは、給湯湯温を浴室リモコン２３に設定されている温度に切替えるようにしたので、シャワー等の湯温安定を図ることができ、使い勝手が向上する。
【００２８】
実施の形態３．
　図４は実施の形態３の作用を示すフローチャートである。実施の形態１では、浴室リモコン２３の設定温度を優先させて、台所リモコン２２において給湯湯温を変更したとき、一定時間後に、浴室リモコン２３の設定温度に戻るようにしたが、実施の形態３では、優先スイッチを切替えて、浴室リモコン２３から台所リモコン２２に優先権を移動させたとき、給湯湯温を変更させないようにしたものである。すなわち、浴室リモコン２３から台所リモコン２２に優先権を切替えたときでも、給湯湯温が変化しないようにしておき、台所リモコン２２から浴室リモコン２３に優先権を切替えたときは、設定温度を浴室リモコン２３に設定された温度に切替えることができるようにしてある。
【００２９】
　例えば、実施の形態１では、図２に示すように、優先権を台所リモコン２２側に移し（ステップＳ−２）、給湯湯温を５０℃から７０℃に変更したときでも（ステップＳ−４）、１０分間経過すると（ステップＳ−６）、優先権は台所リモコン２２側に維持したままで、自動的に浴室リモコン２３の設定温度である５０℃に戻るようになっている（ステップＳ−７）。
【００３０】
　これに対して、実施の形態３では、図４に示すように、優先権を台所リモコン２２側に移し（ステップＳ−２）、給湯湯温を５０℃から７０℃に変更しても（ステップＳ−４）、給湯湯温は変更せず、５０℃のまま維持される（ステップＳ−３及びステップＳ−７）。
　実施の形態３によれば、浴室リモコン２３から台所リモコン２２に優先権を切替えて給湯湯温を変更しようとしても、給湯湯温が変わらないようにしたので、浴室のシャワー等を使用中に湯温変動が起きずシャワー等の湯温安定を図ることができ、使い勝手が向上する。
【図面の簡単な説明】
【００３１】
【図１】本発明の実施の形態１の構成図である。
【図２】実施の形態１の作用を示すフローチャートである。
【図３】実施の形態２の作用を示すフローチャートである。
【図４】実施の形態３の作用を示すフローチャートである。
【符号の説明】
【００３２】
　１　貯湯槽、３　第１の温度センサ、４　電動湯水混合弁、５　台所湯水混合栓、６　浴室湯水混合栓、２０　水流検出手段、２１　第２の温度センサ、２２　台所リモコン、２３　浴室リモコン、２４　台所リモコン優先スイッチ、２５　浴室リモコン優先スイッチ、２６　制御部。
【図１】
2004085197.tif 000003
【図２】
2004085197.tif 000004
【図３】
2004085197.tif 000005
【図４】
2004085197.tif 000006